(57)【特許請求の範囲】
【請求項１】
あらかじめ貯蔵品の名前を記憶させた貯蔵品名等記憶装置と、前記貯蔵品名等記憶装置からデータを読み取り、扉に設けた表示装置に前記データを表示する表示手段と、前記表示手段にて表示されたデータの中から、所定の貯蔵品を選んで記憶装置に記憶させる入力装置と、前記記憶装置に記憶された所定の貯蔵品の使用予定日を前記記憶装置に記憶させる入力装置とを備え、
使用予定日を入力した日からの経過日数をカウントし、前記記憶装置に記憶させた貯蔵品の名前と経過日数と使用予定日とを、使用予定日の過ぎたもの、次に使用予定日の近いものの順に前記表示装置に表示し、
前記貯蔵品の使用予定日が所定の期間前になったとき及び過ぎたときは、貯蔵品の名前と経過日数と使用予定日のうちの少なくとも１つの表示項目を反転させるとともに、前記使用予定日が過ぎたときに反転させる表示項目数を、前記使用予定日が前記所定の期間前になったときに反転させる表示項目数よりも多くすることを特徴とする冷蔵庫。
【請求項２】
前記貯蔵品の使用予定日が所定の期間前になったとき、表示装置に表示される使用予定日の表示状態を反転させ、
前記貯蔵品の使用予定日が過ぎたとき、表示装置に表示される、前記貯蔵品の名前と経過日数と使用予定日の表示状態を反転させる請求項１記載の冷蔵庫。
【請求項３】
前記貯蔵品の使用予定日が過ぎたとき、警告マークを表示装置に表示する請求項１又は２記載の冷蔵庫。
【請求項４】
前記各々の表示は用途別に表示される請求項１〜３のいずれかに記載の冷蔵庫。
【請求項５】
前記貯蔵品データを記憶させる記憶装置は不揮発性記憶装置である請求項１〜４のいずれかに記載の冷蔵庫。
【発明の詳細な説明】
【０００１】
【発明の属する技術分野】
本発明は、表示装置をもつ冷蔵庫に関する。
【０００２】
【従来の技術】
従来この種の冷蔵庫は、特開平１１−３１６０７６号公報に記載されているように、食品に付された食品名、賞味期限等の食品管理情報を示すバーコードを、食品の出し入れに対応してバーコード読取装置で読み取り、読み取った前記食品管理情報を記憶装置に記憶させ、賞味期限、優先順位等を判断装置により判断させ、記憶判断された前記食品管理情報を随時表示装置により表示させると共に、賞味期限の到来した食品や残存する同一種類の食品中古い食品の先出しを喚起する情報を表示装置に表示し、前記期限到来食品もしくは古い食品は警報装置により警報するものがある。
【０００３】
【発明が解決しようとする課題】
前記のような冷蔵庫では、食品管理情報を表示するのみであり機能項目も少なく、また、貯蔵された食品の賞味期限の順に表示し、その期限の到来を警報するのみで、使用する時期の具体的表示がないため、計画的使用を促すことなく、場合によっては、賞味期限近くになって、あわてて使わなければならなくなり、栄養学的にも貧しい無計画な食生活となる可能性が増し、また、食品が多品目になるとその表示数が増え、見にくいばかりでなく表示装置が大きくなり、コスト的にも非常に高くつくという課題がある。
【０００４】
【課題を解決するための手段】
本発明の冷蔵庫は前記のような課題を解決したもので、本発明の冷蔵庫は、あらかじめ貯蔵品の名前を記憶させた貯蔵品名等記憶装置と、前記貯蔵品名等記憶装置からデータを読み取り、扉に設けた表示装置に前記データを表示する表示手段と、前記表示手段にて表示されたデータの中から、所定の貯蔵品を選んで記憶装置に記憶させる入力装置と、前記記憶装置に記憶された所定の貯蔵品の使用予定日を前記記憶装置に記憶させる入力装置とを備え、使用予定日を入力した日からの経過日数をカウントし、前記記憶装置に記憶させた貯蔵品の名前と経過日数と使用予定日とを、使用予定日の過ぎたもの、次に使用予定日の近いものの順に前記表示装置に表示し、前記貯蔵品の使用予定日が所定の期間前になったとき及び過ぎたときは、貯蔵品の名前と経過日数と使用予定日のうちの少なくとも１つの表示項目を反転させるとともに、前記使用予定日が過ぎたときに反転させる表示項目数を、前記使用予定日が前記所定の期間前になったときに反転させる表示項目数よりも多くすることを特徴とするものである。
【０００５】
ここで、前記貯蔵品の使用予定日が所定の期間前になったとき、表示装置に表示される使用予定日の表示状態を反転させ、前記貯蔵品の使用予定日が過ぎたとき、表示装置に表示される、前記貯蔵品の名前と経過日数と使用予定日の表示状態を反転させるようにしてもよい。
【０００７】
さらには、前記貯蔵品の使用予定日が過ぎたとき、警告マークを表示装置に表示するのが好ましい。
【０００９】
さらにまた、本発明の冷蔵庫は、前記記憶手段に記憶された所定の貯蔵品の使用予定日より所定の期間前になったとき、前記表示装置に、少なくとも、該当する前記貯蔵品の名前または前記貯蔵品の名前とともに前記貯蔵品データの他のデータの少なくとも一部を表示することを特徴とするものである。
【００１０】
また、本発明の冷蔵庫は、前記各々の表示は用途別に表示されることを特徴とするものである。
【００１１】
そして、本発明の冷蔵庫は、前記貯蔵品データを記憶させる記憶装置は不揮発性記憶装置であることを特徴とするものである。
【００１２】
【発明の実施の形態】
以下本発明による冷蔵庫の実施の形態を図面とともに説明する。
【００１３】
図面において、図１は本発明の冷蔵庫の機能ブロック図、図２は本発明の冷蔵庫の外観図、図３は本発明の冷蔵庫の表示パネル部の拡大図、図４は図３の表示画面が食品メモ画面となったときの図、図５は図３の表示画面においてメモする食品を分類別に表示するとともに食品を選択するときの食品入力画面の図、図６は図５の表示画面において選んだ食品の使用予定日を入力するときの使用予定日入力画面の図、図７は図５の表示画面において選んだ食品名と使用予定日を貯蔵品データとして入力するときの貯蔵品データ入力画面の図、図８は図４の表示画面においてメモした食品を消去するときの食品消去画面の図、図９は本発明の分類された食品の分類別リスト例の図、図１０は本発明の冷蔵庫の機能フローチャート図である。
【００１４】
まず、図１において、１は入力装置、２はあらかじめ食品の名前を記憶させた貯蔵品名等記憶装置、３は選ばれた食品や入力された使用予定日等を記憶する記憶装置、４は年や月や日時等の時刻をカウントするタイマー、５は前記入力装置１や貯蔵品名等記憶装置２や記憶装置３やタイマー４からの情報を入力状態に応じて処理をして表示装置６に表示させるための中央演算装置、７は前記貯蔵品名等記憶装置２や記憶装置３やタイマー４や中央演算装置５をまとめた表示や制御のための表示・制御装置で、前記表示・制御装置７またはその各々は例えば、マイクロコンピュータ等からなっている。
【００１５】
図２において、８は冷蔵庫本体で、冷蔵室９、野菜室１０、製氷室１１、冷凍室１２、冷凍室１３をもち、各室の前方には断熱扉が設けられており、１４は冷蔵室扉である。また、１５は前記冷蔵室扉１４に設けられた入力部等をもつ表示パネル部である。また、９ａは前記冷蔵室９の室内にある冷蔵庫本体８の運転状態や前記表示パネル部１５の表示を入り切りする等の制御のための入力部等をもつパネル部である。
【００１６】
図３において、１６は表示画面（例えば：液晶表示方式）、１７は前記表示画面１６の各々に表示された項目の操作に関連するする操作部、１８は初期画面に戻すための初期画面用操作部、１９は一回押す度に一つ前の画面に戻すための画面戻し操作部、２０は運転モード表示操作部、２１は留守節電切替操作部で表示パネル部１５にある。また、前記表示パネル部１５は、音声を収録するためのマイクロフォン２２、スピーカー２３をもっている。
【００１７】
なお、前記操作部１７、初期画面用操作部１８、画面戻し操作部１９、運転状態表示モード操作部２０、留守節電切替操作部２１、マイクロフォン２２は図１の入力装置１の一部である。また、前記表示画面１６は前記表示装置６の一部であり、表示装置６は他に表示のための電子回路や光源等（いずれも不図示）をもっている。
【００１８】
そして、前記各々の操作部は、電子基板（不図示）上に電気的に接続されたＯＮ−ＯＦＦ入力装置（例えば：タクトスイッチ）（不図示）を設け、その前面を取付け枠をかねた成形物（不図示）で覆い前記電子基板を取り付け、さらに、その前面を樹脂フィルムで形成されたカバー１５ａで覆い、電気的にＯＮ−ＯＦＦ可能にしてある。
【００１９】
冷蔵庫本体８の電源を始めて入れると、表示画面１６の表示部分１６ａ（食品メモと記載の部分）が「時刻合わせ」と表示されており、その右横の操作部１７を押すと、図１における貯蔵品名等記憶装置２から中央演算装置５が読み取り、時刻合わせモードとなり、前記表示画面１６の表示は時刻合わせの表示状態となる。そして、現在の時刻に入力を完了すると、前記表示画面１６は図３に示す初期画面の状態に表示される。なお、停電や引越しで冷蔵庫本体８の電源が長時間切れたときは、前記同様の時刻合わせが必要となる。
【００２０】
そして、運転状態を見たいときは、前記運転状態表示モード操作部２０を押すと、運転状態の表示モードとなり、前記表示画面１６の表示は運転状態の表示状態となり、冷蔵室９や冷凍室１２，１３の室温や、冷却状態が適温か高温か冷蔵室が冷え過ぎているかを、各室に設けられた検知装置で各室温を検知し、あらかじめ設定された各室の適温に対し高温か低温かを比較手段（例えばマイクロコンピュータ）で比較し、検知温度とともに比較結果を前記表示画面１６に表示する。
【００２１】
また、長期に家族で旅行する等で家をあけるときは、留守節電切替操作部２１を押すと、留守節電切替モードとなり、前記表示画面１６は「留守節電モード」と表示され、所定の時間（例えば：３０秒）後に節電のため画面が消え、冷蔵庫本体８は節電モード（例えば：冷凍室温度＝−１５℃、冷蔵室温度＝５℃）に制御手段（例えばマイクロコンピュータ）で運転を制御されようになる。そして、留守節電切替モードにしたとき、前記表示画面１６の表示部１６ａの位置に「キャンセル」と表示された右側の操作部１７を押すと、前記切替のための切替モードが解除される。
【００２２】
なお、前記節電モードは冷蔵室９内に設けられた前記パネル部９ａに、前記のような節電モードを解除するための解除兼用操作部を設け、冷蔵室扉１４を開けて前記解除兼用操作部を押し、留守節電モードを解除するようにしてある。
【００２３】
また、図３の前記表示画面１６の「伝言」と表示された右側の操作部１７を押すと、伝言録音再生モードになり、表示画面１６は伝言用画面となる。そして、前記表示画面１６には伝言件数に合わせた各伝言番号や、伝言が記録された日時が表示され、「聞く」と表示された右側の操作部１７を押すと、所定の時間（例えば１０秒）再生準備のため経過した後、自動的に録音された伝言等が再生されスピーカー２３から聞こえるようになる。
【００２４】
また、伝言が数件あり、数件目の伝言を聞きたい場合は、前記再生準備時間（例えば１０秒）の経過の途中で、表示画面１６に「次へ」と表示された右側の操作部１７を押すと、押すたびに伝言番号の表示状態が順次変化（例えば：黒文字から白抜き文字に変化）する。そして、聞きたい伝言番号の表示状態を変化（例えば：黒文字から白抜き文字に変化）させると、再生準備時間（例えば１０秒）の経過後、変化させた伝言番号の伝言等が自動的に再生されスピーカー２３から聞こえるようになる。
【００２５】
また、前記のような伝言等を消去したいときは、前記「次へ」と表示された右側の操作部１７を押し、消去したい伝言番号の表示状態を変化させた後、表示画面１６に「消去」と表示された右側の操作部１７を押すと、表示画面１６に「消去しますか？」と表示される。そして、表示画面１６に「はい」と表示された右側の操作部１７を押すと、録音されていた伝言等が消去される。なお、このとき、「いいえ」と表示された右側の操作部１７を押すと、録音されている伝言等はそのまま残る。
【００２６】
そして、録音したいときは、図３の前記表示画面１６の「伝言」と表示された右側の操作部１７を押し、伝言録音再生モードにして表示画面１６を伝言用画面にし、「録音」と表示された右側の操作部１７を押す。その後、表示画面１６には「メッセイジをどうぞ」と表示され、表示画面１６に「スタート」と表示された右側の操作部１７を押し、マイク２２に向かって話すと、伝言等が録音される。なお、伝言等の録音可能件数は４件で、各々１０秒までの録音が可能となっている。
【００２７】
また、タイマーとして使用したいときは、図３の前記表示画面１６の「タイマー」と表示された右側の操作部１７を押すと、タイマー使用モードになり、表示画面１６はタイマー時間設定画面となる。そして、所定の時間を「１０分」や「１分」と表示された右側の操作部１７を押し、所定の時間に設定し、「スタート」と表示された右側の操作部１７を押すと、カウントが開始され、表示画面１６に残り時間が表示される。そして、設定された所定時間になると、スピーカー２３から終了音が鳴る。なお、前記の設定時間は９９分までで、１分刻みに設定できるようになっている。
【００２８】
そして、食品メモの内容を確認したり食品メモに食品名や使用予定日を入力したり消去するときは、前記表示画面１６の表示部分１６ａ（食品メモと記載の部分）の右横の操作部１７を押すと、図１における貯蔵品名等記憶装置２から中央演算装置５が読み取り、表示画面１６は図４のような食品メモ画面になる。
【００２９】
なお、表示画面１６を前記初期画面に戻したいときは、初期画面用操作部１８を押し、一つ前の画面に戻したいときは、画面戻し操作部１９を押す。
【００３０】
図４において、本図はすでに食品をメモした後の表示画面１６の表示状態であり、食品を一度もメモしたことがない場合は、カレーや枝豆などの食品名や使用予定日等の貯蔵品データの表示はない。
【００３１】
そして、食品をメモしたいときは、表示画面１６に「新規」と表示された右横の操作部１７（図３に図示）を押すと、図１における貯蔵品名等記憶装置２から中央演算装置５が読み取り、表示画面１６に図５のような食品入力画面が表示される。
【００３２】
図５において、表示画面１６に「分類」と表示された右横の操作部１７（図３に図示）を押すと、表示画面１６の上部に表示された複数個の種類（例えば５種類）の分類ラベル部１６ｂの表示状態が順次変化（例えば：表示マークが黒塗りから白抜きに変わる）し、表示画面１６の食品等表示部１６ｃに各々の分類に応じた食品名が複数個（例えば８種類）表示される。
【００３３】
そして、表示画面１６に「選ぶ」と表示された右横の操作部１７（図３に図示）を押すと、前記食品等表示部１６ｃの複数個の食品名の表示状態が順次変化（例えば：貯蔵品名が黒文字から白抜き文字に変化）する。
【００３４】
そのため、使用者が食品名を食品メモ画面にメモするときは、表示画面１６に「分類」と表示された右横の操作部１７（図３に図示）を押して、分類ラベル部１６ｂの表示状態を順次変化させ、その都度、各々の分類に応じて食品等表示部１６ｃに表示される複数の食品名を読み、必要な食品名が表示されておれば、次に、表示画面１６に「選ぶ」と表示された右横の操作部１７（図３に図示）を押し、食品名の表示状態を順次変化させてメモする食品名を変化（例えば：食品名が黒文字から白抜き文字に変化）させるようにする。
【００３５】
前記の操作によって、メモに必要な食品名の表示状態を変化（例えば：食品名が黒文字から白抜き文字に変化）させ、次に、表示画面１６に「入力」と表示された右横の操作部１７（図３に図示）を押すと、表示状態を変化させた前記食品名（例えば：エビ）の選択が完了し、図１における貯蔵品名等記憶装置２から中央演算装置５が読み取り、表示画面１６に図６のような使用予定日入力画面が表示される。
【００３６】
図６において、本図は９月２８日［金曜日］に前記の入力操作をしたときの図で、食品名のメモ入力する日にあわせ、前記タイマー４からその時の年月日等を読み取り、表示画面１６に月日や曜日を表示するとともに、前記記憶装置３に前記入力データとともに入力日として前記年月日等が記憶される。
【００３７】
そして、表示画面１６に「＋１日」と表示された右横の操作部１７（図３に図示）を数回押すと、日数表示部１６ｄに数値が押した数だけ増加して表示され、表示画面１６に「−１日」と表示された右横の操作部１７（図３に図示）を数回押すと、日数表示部１６ｄに数値が押した数だけ減少して表示される。また、前記操作部１７を押したままにすると、前記数値が自動的に増減して日数表示部１６ｄに表示される。
【００３８】
前記操作により、何日後に使用するか（例えば：６日後）を日数表示部１６ｄにその数値を表示させ所定の時間（例えば：３秒）操作を止めると、図７のような貯蔵品データ入力画面になる。なお、再び前記「＋１日」や「−１日」と表示された右横の操作部１７（図３に図示）を押すと、数値が増減して日数表示部１６ｄに操作に応じた数値が表示される。
【００３９】
図７において、本図は使用予定日を６日後として食品名＝エビを９月２８日［金曜日］に入力したときの貯蔵品データ入力画面であり、表示画面１６に「決定」と表示された右横の操作部１７（図３に図示）を押すと、前記貯蔵品データの入力が完了され、前記記憶装置３への記憶が完了され、表示画面１６は図４のような食品メモ画面に戻り、前記貯蔵品データが追加表示（例えば：食品名＝エビ、経過日数＝０日、使用予定日＝１０／４）される。
【００４０】
なお、続けて前記のような貯蔵品データを入力したい場合は、前記同様の操作をおこない、図３のような初期画面に戻したいときは、初期画面用操作部１８（図３に図示）を押すとよい。
【００４１】
また、食品メモ画面から食品名等の貯蔵品データを消去する場合は、図３のような初期画面に戻して、図３の表示部分１６ａ（食品メモと記載の部分）の表示された右横の操作部１７を押すと、表示画面１６に図４のような食品メモ画面になる。
【００４２】
そして、図４において、表示画面１６に「選ぶ」と表示された右横の操作部１７（図３に図示）を押すと、貯蔵品データの食品名等が順次変化（例えば：黒文字から白抜き文字に変化）し、消去したい食品名等を変化させた時点で、表示画面１６に「消去」と表示された右横の操作部１７（図３に図示）を押すと、図８のような食品消去画面となる。
【００４３】
図８において、表示画面１６に「はい」と表示された右横の操作部１７（図３に図示）を押すと、表示画面１６の表示部分１６ｅが「消去しました」という表示に変化し、所定の時間（例えば３秒間）表示され、その後、前記貯蔵品データの消去が完了され、前記記憶装置３から前記貯蔵品データが消去され、表示画面１６は図４のような食品メモ画面に戻り、消去したい食品名等が消去された後の貯蔵品データが表示される。
【００４４】
そして、続けて前記のような貯蔵品データを消去したい場合は、前記同様の操作をおこない、図３のような初期画面に戻したいときは、初期画面用操作部１８（図３に図示）を押すとよい。
【００４５】
また、図８の状態において、表示画面１６に「いいえ」と表示された右横の操作部１７（図３に図示）を押すと、選ばれた貯蔵品データは消去されずに、図４のような、もとのままの食品メモ画面に戻る。
【００４６】
なお、前記で、表示画面１６に「はい」と表示された右横の操作部１７（図３に図示）を押すと、所定の時間（例えば３秒間）図８のような表示画面１６が表示され続け、その後、表示画面１６の表示部分１６ｅが「消去しました」という表示に変化し、前記貯蔵品データの消去が完了され、前記記憶装置３から前記貯蔵品データが消去され、表示画面１６は図４のような食品メモ画面に戻り、消去したい食品名等が消去された後の貯蔵品データが表示されるようにしてもよい。
【００４７】
そして、前記所定の時間（例えば３秒間）図８のような表示画面１６が表示され続けているあいだに、「いいえ」と表示された右横の操作部１７（図３に図示）を押すと、選ばれた貯蔵品データは消去されずに、図４のような、もとのままの食品メモ画面に戻るようにすると、誤って貯蔵品データを消去することをさらに防止できる。
【００４８】
図９において、本図は分類に応じた食品名の例が示されており、これらは、食材別に肉類、魚介類等の項目別で９項目に分類され、各分類項目毎に８品目の食品名が表示され、７２品目が食品名として表わされている。そして、前記のような分類項目や食品名が各々のデータとして、図１の貯蔵品名等記憶装置２に記憶されており、必要に応じて表示画面１６の一部に順次表示されることになる。
【００４９】
なお、表示画面１６の一部に表示されるときは、図５のように、分類ラベル部１６ｂでの表示には前記の全ての分類項目がイラストで表示され、それらのイラストの内で表示状態が変化（表示マークが黒塗りから白抜きに変化）した分類項目（例えば魚介２）の食品名（例えば：イカ、タコ、エビ、カニ、アサリ、シジミ、ホタテ、カキ）が食品等表示部１６ｃに表示される。
【００５０】
そのため、貯蔵品名等記憶装置２には項目別に貯蔵品名である食品名が分類されて記憶されており、ＯＮ−ＯＦＦスイッチ等の切替手段にて分類項目に応じた所定の数（例えば８品目）だけ食品名が順次表示されるため、限られたスペースの小さな表示画面１６であっても、貯蔵品名も見やすく、栄養のバランスをさらに考慮した使用予定日が設定できるようになる。さらに、分類項目の表示がイラストであるため、表示のスペースをあまり取らなく、これもまた少ないスペースでも解りやすくなっている。
【００５１】
また、分類項目を朝食用（例えば：アサリ、シジミ、豆腐、味噌、ノリ、ねぎ、納豆、玉子）、デザート（例えば：ケーキ、カステラ、シュークリーム、プリン、ヨーグルト、コーヒーゼリー、アイスクリーム、シューアイス）、や肉料理用、魚料理用、野菜類、等の主に用途別に分類してもよく、貯蔵品名が用途別に表示されるように切替手段で表示が変えられるようにしておくと、用途に応じた食品の選択が素早くでき、さらに使い勝手のよい冷蔵庫が得られる。
【００５２】
つぎに、図１０に示すフローチャートを参照しながら本実施例の図４にあるような食品メモ画面の食品名と使用予定日の表示について説明する。
【００５３】
電源を投入する（冷蔵庫本体８の電源を始めて入れる）と、あらかじめマイクロコンピュータ（貯蔵品名等記憶装置２）内に組み込まれたプログラムにより、タイマー４を初期状態に戻してステップＳ１に移る。そして、ステップ１で時刻設定がおこなわれると、図３のような初期画面になる。
【００５４】
その後、図３における表示画面１６の「食品メモ」と表示された右横の操作部１７を押すと、ステップＳ２で、貯蔵品データ表示ボタンをＯＮの信号を受けてステップＳ３に進む。ステップＳ３で食品名に使用予定日が有るかどうかの判断をし、使用予定日があればステップＳ４に進む。そして、ステップＳ４で前記使用予定日が１０日以上過ぎているかどうかを判断し、前記使用予定日が１０日以上過ぎていると、ステップＳ５に進み前記食品名等の貯蔵品データを記憶装置３から削除して、ステップＳ６に進む。
【００５５】
次にステップＳ６で他に食品名が記憶装置３に貯蔵品データとして記憶されているかどうかを判断し、他に食品名が記憶されておれば、ステップＳ３に戻る。また、ステップ６で今まで調べた貯蔵品データの他に貯蔵品データが記憶されていなければステップＳ７に進み、記憶装置３に記憶された最終の貯蔵品データを記憶装置３から読み出し食品メモとして表示装置６に表示する。
【００５６】
また、ステップＳ３で食品名に使用予定日が有るかどうかの判断をし、使用予定日がなければステップＳ８に進み、前記食品名が記憶されてから１９９日以上過ぎているかどうかを判断し、前記使用予定日が１９９日以上過ぎていると、ステップＳ５に進み、その後は前記同様のフローチャートをたどる。
【００５７】
ステップＳ８で、前記使用予定日が１９９日以上過ぎていないと、ステップＳ９に進み、通常の表示状態に表示するように、前記貯蔵データを記憶装置３に記憶し、ステップＳ６に進み、その後は前記同様のフローチャートをたどる。
【００５８】
ステップＳ４で、ステップＳ３で判断した食品の使用予定日が１０日以上過ぎているかどうかを判断し、前記使用予定日が１０日以上過ぎていないと、ステップＳ１０に進む。その後、ステップＳ１０で前記食品の使用予定日を過ぎているかどうかを判断し、使用予定日を過ぎていると、ステップＳ１１に進み、ステップＳ１１で食品名の後に×印を付け表示を変化（例えば：黒文字から白抜き文字に変化）させて表示するように前記貯蔵データを記憶装置３に記憶する。そして、次にステップＳ６に進み、その後は前記同様のフローチャートをたどる。
【００５９】
ステップＳ１０で、前記食品の使用予定日を過ぎているかどうかを判断し、使用予定日を過ぎていないと、ステップＳ１２に進み、前記使用予定日の前日（１日前）であるかどうかを判断して、使用予定日の前日であれば、ステップＳ１３に進み、前記食品名に該当する使用予定日の表示を変化（例えば：黒文字から白抜き文字に変化）させて表示するようにして前記貯蔵データを記憶装置３に記憶しステップＳ６に進み、その後は前記同様のフローチャートをたどる。
【００６０】
また、ステップＳ１２で、前記使用予定日の前日であるかどうかを判断して、使用予定日の前日でないならば、ステップＳ９に進み、その後は前記同様のフローチャートをたどる。
【００６１】
そのため、図３のような初期画面にして表示画面１６の「食品メモ」と表示された右横の操作部１７を押すと、前記フローチャートをたどり、貯蔵品データをその時ごとに経過状況にあったデータに書き換えた後に記憶装置３に記憶し、表示画面１６に表示することになる。
【００６２】
また、タイマー４で時刻をカウントしているので、日付がかわるたびに前記同様のフローチャートをたどり記憶装置３に日付経過後の貯蔵品データを記憶しなおし、表示画面１６に表示の命令が入力されると、その記憶しなおした貯蔵品データを表示装置６に表示するようにしてもよい。
【００６３】
なお、前記は貯蔵品データとして食品名と使用予定日を表示するようになっているが、前記データを入力した日からの経過日数をもカウントして表示するようにする。また、使用予定日の前日（１日前）になると、食品名に該当する使用予定日の表示を変化（例えば：黒文字から白抜き文字に変化）して表示するようにしてあるが、表示の前記変化を余裕をもって使用予定日の数日前（例えば３日前）にしてもよい。
【００６４】
そして、前記のように使用予定日を貯蔵品である食品名と対応させて表示するため、あらかじめ貯蔵品の計画された使用時期がわかるとともに、栄養のバランスを考慮した食生活の計画が立てやすく、表示された貯蔵品のデータを見ることにより、貯蔵品の使用忘れが少なくなる。
【００６５】
さらに、貯蔵品である食品名の使用予定日より所定の期間前になったとき、表示される使用予定日を変化（例えば：黒文字から白抜き文字に変化）させて表示状態をかえるため、あらかじめ貯蔵品の計画された使用時期がわかるとともに、表示状態をかえることにより、さらに事前に使用予定日がわかり、栄養のバランスを考慮した食生活の計画がさらに立てやすく、貯蔵品の使用忘れがさらに少なくなる。
【００６６】
また、前記表示画面に貯蔵品データを表示できる数（例えば４個）が貯蔵品データの記憶できる数（例えば３０個）より少ない場合のために、図１０のステップＳ７のところを、表示された図４のような食品メモ画面で「選ぶ」と表示された右横の操作部１７を押すと、その画面に表示の貯蔵品データの食品名等の表示状態を順次変化（例えば：黒文字から白抜き文字に変化）させ、前記表示できる数（例えば４個）だけ前記操作部１７を押すと、次の食品名等が表示される食品メモ画面となるようにして、前記記憶装置３に記憶された書き換え後の貯蔵品データを表示できる数（例えば４個）ずつ順次読み出し、表示画面１６に切替装置にて順次切り替えて表示するようにすると、小さな表示画面１６（例えば：ドット数（タテ＝７３、ヨコ＝１１９）の液晶表示画面）であっても、全ての貯蔵品データがたいへん読みやすい状態で順次表示できるようになる。
【００６７】
そのため、貯蔵品データで貯蔵品である食品名の使用予定日が所定の期間前（例えば１日前）になったとき、表示装置に所定の数（例えば４個）ずつ切替手段にて順次表示される全ての貯蔵品データの内の該当する食品名の使用予定日を変化（例えば：黒文字から白抜き文字に変化）して表示するように表示状態をかえることができ、切替手段にて順次所定の数だけ表示されるため、該当する貯蔵品である食品名や使用予定日が見やすい状態で事前にわかり、栄養のバランスを考慮した食生活の計画がさらに立てやすく、貯蔵品の使用忘れがさらに少なくなり、使い勝手のよい冷蔵庫が得られる。
【００６８】
しかも、表示装置が小さくてすむため、前記表示パネル部１５の少なくとも一部が前記冷蔵室扉１４の内部に位置し、表示パネル部１５の前記内部に位置する部分に対応して前記冷蔵室扉１４の室内側の内面に突出部を設けないとき、前記冷蔵室扉１４の断熱材の厚さの薄い部分が少なくてすみ、それによる外部からの熱の侵入量が少なくてすみ、熱ロスが押さえられる。
【００６９】
また、前記の外部からの熱の侵入をよりいっそう押さえるため、前記に該当する突出部を設けたとき、前記突出部が小さくてすみ、前記突出部による冷蔵室９内の容積の減少が押さえられ、表示パネル部１５が冷蔵室扉１４の前面から前方へ突き出る量の少ない、デザイン的にも良好で使い勝手のよい、さらにはコスト的にも有利で、実用性に富んだ冷蔵庫となる。
【００７０】
また、表示画面１６に表示する貯蔵品データには優先順位を設け、順次表示するようにしておくと使いやすく、例えば、使用予定日を過ぎている貯蔵品データを古い順にまず表示し、使用予定日の前日の貯蔵品データを次に表示し、その後に、使用予定日の近い貯蔵品データの順に表示し、その後に、使用予定日が入ってない貯蔵品データを表示するようにしておくと、貯蔵品のデータが使用予定日の近いものから順に表示されるため、事前に使用すべき貯蔵品がさらに早くわかり、貯蔵品の使用忘れがさらに少なくなる。
【００７１】
さらに、前記貯蔵品データの使用予定日より所定の期間前日（例えば１日前）になったとき、該当する貯蔵品のデータを表示するようにすると、事前に使用すべき貯蔵品がさらに確実に早くわかり、貯蔵品の使用忘れがさらに少なくなる。
【００７２】
また、記憶された前記貯蔵品データは用途別に表示できるようにしてもよく、食品メモで用途別にメモを見たいときは、図３のような初期画面にして、表示画面１６の表示部分１６ａ（食品メモと記載の部分）の右横の操作部１７を押し、図４のような食品メモ画面にする。その後、図４の表示画面１６に「選ぶ」と表示された右横の操作部１７（図３に図示）を所定の時間（３秒以上）押すと、「用途別表示にしますか？」というような用途別表示選択画面が表示画面１６に表示される。
【００７３】
そして、表示画面１６に「はい」と表示された部分の右横の操作部１７（図３に表示）を押すと、用途別（例えば：朝食用、デザート、肉料理用、魚料理用、野菜類、等）の表示が記憶装置３内の貯蔵品データから用途別に読み取られ、表示画面１６に表示されるようになる。なお、前記の場合、各々の貯蔵品データには用途別の分類で読み出すためのバッチが各用途別項目に対応して付けられている。
【００７４】
また、前記で「いいえ」と表示された部分の右横の操作部１７（図３に表示）を押すと、優先順位を設けた表示というような表示となる。
【００７５】
そのため、貯蔵品データが用途別に表示されるようにもでき、食品を使用するときの選択も用途に応じて素早くできるようになり、貯蔵品の使い忘れの少ない、さらに使い勝手のよい冷蔵庫が得られる。
【００７６】
また、図５のような前記食品入力画面として表示画面１６に前記分類項目別や用途別に表示したり、図４のような前記食品メモ画面として表示画面１６に貯蔵品データを同様に前記分類項目別や用途別に表示したりするとき、所定の時間間隔（例えば３秒間隔）で表示装置に所定の数（例えば４個）ずつ順次表示されるようにする場合であっても、表示装置が小さくてすみ、コスト的にも有利となることは明白である。なお、前記の場合、表示画面の表示を所定の画面に止めるための操作部を設けると、さらに使い勝手のよい冷蔵庫が得られる。
【００７７】
また、前記記憶装置３を不揮発性記憶装置（例えば：ＥＥＰＲＯＭ）を用いると、停電等で冷蔵庫本体８の電源が長時間切れたときも、記憶装置３の記憶内容は消えないため、再度貯蔵品データを入れなおす必要がなくなり、さらに使い勝手のよい冷蔵庫が得られる。
【００７８】
なお、前記は食品名のみに限らず、薬品や化粧品等の貯蔵品に関しても、あらかじめその名前を記憶させておけば、同様の効果が得られることは明白である。
【００７９】
また、図３の表示画面１６のような初期画面にして、運転モードボタン２０を３秒以上押し続けると、表示画面１６がボタンロック等画面となり、表示画面１６の表示部分１６ａの下の位置に「変更」という表示があらわれる。そして、他の表示画面１６の部分に「ボタンロック」・「あり」・「なし」と表示される。その後、表示部分１６ａの前記「変更」と表示された部分の右横の操作部１７（図３に表示）を押すと、前記「あり」・「なし」の表示部が、交互にその表示状態を変化（例えば：黒文字から白抜き文字に変化）させる。
【００８０】
そして、「あり」の表示部の表示状態を変化（例えば：黒文字から白抜き文字に変化）させ、その後前記「変更」という表示部の下に表示された「決定」という表示部分の右横の操作部１７（図３に表示）を押し、初期画面用操作部１８を押すと、図３のような初期画面にもどり、前記表示部分１６ａに「ボタンロック」と表示され、表示画面１６内の部分の表示内容の操作ができなくなる。前記のようにすると、子供のいたずら防止や誤って操作部１７を押したときの入力防止に役立つ。
【００８１】
なお、前記ボタンロックを解除するには、図３の運転モードボタン２０を３秒以上押し、表示画面１６をボタンロック等画面にして、表示部分１６ａの下の前記「変更」と表示された部分の右横の操作部１７（図３に表示）を押し、前記「なし」の表示側の表示状態を変化（例えば：黒文字から白抜き文字に変化）させた後、前記「変更」という表示部の下に表示された「決定」という表示部分の右横の操作部１７（図３に表示）を押し、初期画面用操作部１８を押すと、またもとの初期画面（図３の表示画面１６に表示の状態）にもどり、前記ボタンロックが解除されるようにする。
【００８２】
また、冷蔵室９内に設けた前記パネル部９ａに，前記のような解除のための解除用操作部または解除を兼ねる操作部を設け、冷蔵室扉１４を開けて前記解除用操作部または前記操作部を操作し、前記のボタンロックを解除するようにしておくと、腕や体が操作部に当たり、誤って外部の操作部（例えば：操作部１７、留守節電切替操作部２１等）を押し、入力状態が変わることの防止はさらに確実なものとなる。
【００８３】
なお、前記はボタンロックを解除するときのみに留まらず、他の運転状態等の設定を外部の操作部でおこない、その設定を変更のときには、冷蔵室９内等の貯蔵室内に設定変更を開始するための操作部を設けると、誤って外部の操作部（例えば：操作部１７、留守節電切替操作部２１等）を押し、設定状態が変わることの防止はさらに確実なものとなることは明白である。
【００８４】
なお、運転状態等の設定をした後、前記のようなボタンロックが自動的にかかるようにして、新たに前記設定をやりなおす場合は、前記同様のボタンロックを解除するようにしてもよい。
【００８５】
さらに、図３の運転モードボタン２０を３秒以上押し前記ボタンロック等画面にし、表示画面１６に「選ぶ」と表示された部分を表示部分１６ａの位置に表示するようにして、「選ぶ」と表示された前記表示部分１６ａの右横の操作部１７（図３に表示）を所定回数（例えば４回）押し、表示画面１６を全データ消去画面にし、「全データ消去」と表示された表示部の表示状態を変化（例えば：黒文字から白抜き文字に変化）させる。
【００８６】
その後、前記表示画面１６に「変更」と表示された部分の右横の操作部１７（図３に表示）を押すと、「全データを消去しますか？」と表示画面１６に表示され、その後、「はい」と表示された部分の右横の操作部１７（図３に表示）を押すと、記憶装置３に入力されている全データの消去ができるようにしておくと、一度に全データが簡単に消去でき、さらに操作性の向上した冷蔵庫が得られる。
【００８７】
なお、「全データを消去しますか？」と表示画面１６に表示されたとき、「いいえ」と表示された部分の右横の操作部１７（図３に表示）を押すと、もとの図３のような初期画面にもどり、いままで入力された全データはそのまま残るようにしておくと、安易に誤って全データを消去することが防止できる。
【００８８】
また、前記表示パネル部１５での操作の方法は、各々の外部の操作部（例えば：操作部１７、留守節電切替操作部２１等）を押して各々の操作をおこなうようにしてあるが、タッチスイッチ構造にして、指でタッチするだけで操作が可能としてもよく、他の操作方法を用いてもよい。
【００８９】
また、貯蔵品データ内にある貯蔵品の使用予定日が所定の期間前になったとき及び使用予定日を過ぎたとき、前記貯蔵品名に該当する使用予定日の表示を、例えば黒文字から白抜き文字に変化させる反転表示を行う。×印やその他の警告マークや文字を追加してもよく、また、警告のための発信音や言葉を前記スピーカ２３から出してもよい。
【００９０】
なお、前記で左右とは、冷蔵庫を正面から見て左右の方向を意味し、前後とは、冷蔵庫を正面から見て前後の方向を意味する。
【００９１】
【発明の効果】
本発明によると、あらかじめ貯蔵品の計画された使用時期がわかるとともに、栄養のバランスを考慮した食生活の計画が立てやすく、表示された貯蔵品データを見ることにより、貯蔵品の使用忘れが少なくなる。
【００９２】
また、本発明によると、あらかじめ貯蔵品の計画された使用時期がわかるとともに、表示状態をかえることにより、さらに事前に使用予定日がわかり、栄養のバランスを考慮した食生活の計画がさらに立てやすく、貯蔵品の使用忘れがさらに少なくなる。
【００９３】
また、本発明によると、あらかじめ貯蔵品の計画された使用時期がわかるとともに、表示状態をかえることにより、さらに事前に使用予定日がわかり、栄養のバランスを考慮した食生活の計画がさらに立てやすくなるばかりでなく、所定の数ずつ順次表示されるため、貯蔵品や使用予定日が見やすい状態で小さい画面でも順次事前にわかり、栄養のバランスを考慮した食生活の計画がさらに立てやすく、貯蔵品の使用忘れがさらに少なくなり、しかも、表示装置が小さくてすみ、コスト的にも有利で、実用性に富んだ冷蔵庫となる。
【００９４】
また、本発明によると、あらかじめ貯蔵品の計画された使用時期がわかるとともに、表示状態をかえることにより、さらに事前に使用予定日がわかり、栄養のバランスを考慮した食生活の計画がさらに立てやすくなるばかりでなく、貯蔵品名等記憶手段には項目別に貯蔵品名が分類されて記憶されており、切替手段にて順次所定の数だけ表示されるため、貯蔵品名も見やすく、栄養のバランスをさらに考慮した使用予定日が設定でき、また、使用予定日より所定の期間だけ前日に、所定の数ずつ切替手段にて順次表示されるため、該当する貯蔵品や使用予定日が見やすい状態で事前にわかり、栄養のバランスを考慮した食生活の計画がさらに立てやすく、貯蔵品の使用忘れがさらに少なくなり、しかも、表示装置が小さくてすみ、コスト的にも有利で、実用性に富んだ冷蔵庫となる。
【００９５】
また、本発明によると、貯蔵品データが使用予定日の近いものから順に表示されるため、事前に使用すべき貯蔵品がさらに早くわかり、貯蔵品の使用忘れがさらに少なくなる。
【００９６】
また、本発明によると、貯蔵品データが使用予定日より所定の期間だけ前日に表示装置に表示されるため、事前に使用すべき貯蔵品がさらに確実に早くわかり、貯蔵品の使用忘れがさらに少なくなる。
【００９７】
また、本発明によると、用途に応じた貯蔵品の使用等の選択が素早くでき、さらに使い勝手のよい冷蔵庫が得られる。
【００９８】
また、本発明によると、停電等で冷蔵庫本体の電源が長時間切れたときも、記憶装置の記憶内容は消えないため、再度貯蔵品データを入れなおす必要がなくなり、さらに使い勝手のよい冷蔵庫が得られる。
【図面の簡単な説明】
【図１】本発明の冷蔵庫の機能ブロック図である。
【図２】本発明の冷蔵庫の外観図である。
【図３】本発明の冷蔵庫の表示パネル部の拡大図である。
【図４】図３の表示画面が食品メモ画面となったときの図である。
【図５】図３の表示画面においてメモする食品を分類別に表示するとともに食品を選択するときの食品入力画面の図である。
【図６】図５の表示画面において選んだ食品の使用予定日を入力するときの使用予定日入力画面の図である。
【図７】図５の表示画面において選んだ食品名と使用予定日を貯蔵品データとして入力するときの貯蔵品データ入力画面の図である。
【図８】図４の表示画面においてメモした食品を消去するときの食品消去画面の図である。
【図９】本発明の分類された食品の分類別リストの１実施例の図である。
【図１０】本発明の冷蔵庫の機能フローチャート図である。
【符号の説明】
１  入力装置
２  貯蔵品名等記憶装置
３  記憶装置
６  表示装置
１７  操作部（切替装置）
【図１】
0003729698.tif 000002
【図２】
0003729698.tif 000003
【図３】
0003729698.tif 000004
【図４】
0003729698.tif 000005
【図５】
0003729698.tif 000006
【図６】
0003729698.tif 000007
【図７】
0003729698.tif 000008
【図８】
0003729698.tif 000009
【図９】
0003729698.tif 000010
【図１０】
0003729698.tif 000011